(57)【要約】【課題】特別な操作及び装置を必要とせず、一定時間（例えば２４時間）周期で運転及び停止を繰り返すことができる空気調整装置を提供する。【解決手段】空気調節装置１へ動作信号を送る制御装置４と、制御装置４へ各種設定を入力する操作部８と、を備えた空気調整装置において、操作部８からの設定に基づいて一定時間ごとに所定運転態様で空気浄化装置１を運転する運転手段を備えた空気調整装置。【選択図】      図１
2004163022.tif 000002
【特許請求の範囲】
【請求項１】
空気調節装置と、
空気調節装置へ動作信号を送る制御装置と、
前記制御装置へ各種設定を入力するための操作部と、
を備えた空気清浄機において、
前記空気調節装置を前記制御装置からの指令に基づいて一定時間ごとに所定運転態様で運転する運転手段を備えていることを特徴とする空気調整装置。
【請求項２】
前記制御装置は、タイマー計時部と、前記空気調節装置の運転態様を記憶するための記憶部とを有している請求項１記載の空気調整装置。
【請求項３】
前記一定時間が２４時間である請求項１又は２記載の空気調整装置。
【請求項４】
前記一定時間内に運転／停止の設定を１又は２以上記憶することができる請求項１、２又は３記載の空気調整装置。
【発明の詳細な説明】
【０００１】
【発明の属する技術分野】
【０００２】
本発明は、空気調和機、加湿器、除湿機、ファンヒータ、空気清浄機等の空気調整装置に関する。
【０００３】
【従来の技術】
従来の空気調整装置、例えば空気清浄機はタイマーにより所定時間継続運転をするものが一般的である。これは、運転するたびに同じ操作を繰り返す必要がある。すなわち、２４時間タイマー機能がない場合は、常にタイマーをセットしなければならない。
【０００４】
そこで一日の行動パターンが決まっているような場合には、空気清浄機を運転するたびに操作する手間を省くために、２４時間の運転態様を記憶部に記憶させておいて、この記憶部のデータに基づき２４時間自動運転する２４時間プログラム式の空気清浄機が知られている。
【０００５】
【特許文献１】
特開平８−２５７３３３号公報
【０００６】
【発明が解決しようとする課題】
しかしながら、従来前記の２４時間プログラム式の空気清浄機においては、記憶部にデータを記憶させるために、液晶等からなる表示画面を見ながらテンキー等で情報を入力する等の操作を必要であり、つまり、２４時間通して空気浄化装置の動作態様（運転、停止等）を設定しなくてはならず、非常に手間がかかる。
【０００７】
また、例えば、２４時間計時可能なタイマー計や時刻設定用のテンキー等の特別な装置を必要としていた。
【０００８】
そこで本発明は、特別な操作及び装置を必要とせず、一定時間（例えば２４時間）周期で運転及び停止を繰り返すことができる空気調整装置を提供することを目的とする。
【０００９】
【課題を解決するための手段】
上記目的を達成するために本発明は、空気調節装置と、前記空気調節装置へ動作信号を送る制御装置と、前記制御装置へ各種設定を入力する操作部と、を備えた空気調整装置において、前記制御装置からの動作信号に基づいて一定時間ごとに所定運転態様にて、前記空気調節装置を運転する機能を持つことを特徴としている。
【００１０】
この構成によると、特別な装置を備えなくても、一定時間ごとに、所定運転態様で、且つ所定時間、運転することができる。また、それだけ、手間が掛からず空気調整機能を効率よく働かせることができる。
【００１１】
前記制御装置として、タイマー計時部と、前記空気調節装置の運転態様を記憶するための記憶部とを有しているものを挙げることができる。
【００１２】
この構成によると、前回の運転態様を、保持することができるので、空気調整装置を運転するたびに運転態様を設定しなくても良い。
【００１３】
また、上記構成の一定時間を２４時間としてもよい。
【００１４】
この構成によると、毎日決まった時間に、決まった運転態様で空気調整装置を運転することができ、日常生活に合わせて空気の清浄を行うことができる。
【００１５】
また、上記構成の所定運転態様及び所定時間の設定を一定時間内において、複数設定することができるものとしてもよい。
【００１６】
この構成によると、一定時間内に、１又は２回以上空気調整装置の運転／停止を行うことができる。
【００１７】
このことにより、空気調整装置の運転／停止を細かく設定でき、それだけ、空気清浄機の無駄な動作を極力抑えることができ、フィルター等の消耗品の交換回数を減らすことができ、空気調整装置自体の寿命も延ばすことが可能である。
【００１８】
【発明の実施の形態】
本発明の実施例を図面を用いて説明する。図１は本発明に係る空気調整装置の一例である空気清浄機のブロック図であり、図２は図１に示す空気清浄機の運転操作を行う操作パネルの概略配置図である。図３は図１に示す空気清浄機の動作を示すフロー図である。
【００１９】
本実施例に示す空気清浄機は、それには限定されないが、ここでは２４時間サイクルで運転／停止を行うものを例に説明する。
【００２０】
空気清浄機は空気調節装置として働く空気浄化装置１と、マイクロコンピュータからなる制御装置４と、操作部８と、空気清浄機の運転態様を表示する表示部９とを有している。
【００２１】
空気浄化装置１は室内空気を吸引し、この吸引した空気を図示を省略したフィルターに通して塵埃を除去して浄化した後、室内に放出する周知の構造のものであり、室内空気を吸引、放出するためのモータ２で回転されるファン３等から構成される。
【００２２】
制御装置４は、空気浄化装置１のモータ２への動作信号を送る制御部５と、空気浄化装置１の運転態様（運転、停止等）を記憶しておく記憶部６と、タイマー計時部７とを有している。
【００２３】
操作部８は空気清浄機の運転を開始する運転スイッチ８１と、一定時間ごとの運転を示すものでありここでは、毎日の運転を設定する毎日モードボタン８２と、空気清浄機の運転時間を設定する切タイマーボタン８３と、空気清浄機の運転停止する停止スイッチ８４とを有している。
【００２４】
表示部９は、現在時刻、空気清浄機の運転残り時間、次回運転開始までの時間、切タイマー設定時間等を表示可能であるタイマー表示部９１と、空気清浄機の運転態様を表示する運転表示部９２と、切タイマーの設定時間を表示する設定時間表示部９３と、空気清浄機の運転モードを表示する運転モード表示部９４とを有している。
【００２５】
設定時間表示部９３は、８時間表示部９３１と、４時間表示部９３２と、１時間表示部９３３とを有している。
【００２６】
空気清浄機の運転態様としては、それには限定されないが、「静音運転」９２１、「クリーン運転」９２２、「表示切」９２３等を例示できる。
【００２７】
次に図２を基に空気清浄機の動作を説明する。まず、運転スイッチ８１を押して運転を開始する（ステップＳ１）。運転開始後に毎日モードボタン８２が押されたかどうか判別する（ステップＳ２）。毎日モードボタン８２が押されない場合、通常の連続運転を行う（ステップＳ３）。
【００２８】
毎日モードボタン８２が押された場合、切タイマーボタン８３を押して運転時間を設定する（ステップＳ４）。このとき運転時間設定開始時間を記憶部に記録しておく（ステップＳ５）。切タイマーボタン８３は１回押すと８時間、２回目で４時間、３回目で１時間、４回目で設定ＯＦＦと変化する。そのとき、８時間表示部９３１、４時間表示部９３２、１時間表示部９３３がそれぞれ、ＯＮ表示になる。
【００２９】
その後、設定時間が経過したかどうか判定する（ステップＳ６）。設定時間が経過していない場合そのまま運転を続ける。経過時間が終了した場合、運転を停止する（ステップＳ７）。その後一定時間の経過を確認した後（ステップＳ８）、ステップＳ６に戻り運転を開始する。
【００３０】
また、停止ボタンを備えており、運転中に、停止ボタンが押された場合は、毎日モードがセットされている場合でも空気清浄機は直ちに停止される。
【００３１】
このように空気清浄機運転中に毎日モードボタン８２を押して毎日モードをセット（毎日モードがセットされることで毎日モードランプが点灯する）し、切タイマーボタン８３を押して、所望の運転時間（ここでは１時間、４時間、８時間）を選択しセットする。
【００３２】
図４は空気清浄機の運転状態を表示方法を示す概略図である。
【００３３】
ここでは例えば運転時間として８時間を選択した場合を考える。切タイマー設定後８時間で空気清浄機は運転を停止する。このとき、タイマー設定時刻を記憶部に記憶させておく。毎日モードランプは点灯しており、毎日タイマーカウント中であることを示している（いわゆる入タイマーカウント状態）。
【００３４】
空気清浄機の運転時間の残りが８時間以下４時間より長いときは、運転モード表示部９４（ここでは「毎日モード」）及び８時間表示部９３１がＯＮ表示になる（Ｐ１）。空気清浄機の残り運転時間が４時間以下１時間より長いときは、運転モード表示部９４及び４時間表示部９３２がＯＮ表示になる（Ｐ２）。残り運転時間が１時間以下になると運転モード表示部９４及び１時間表示部９３３がＯＮ表示になる（Ｐ３）。空気清浄機が毎日モードで停止状態のときは、運転モード表示部９４がＯＮ表示になる（Ｐ４）。
【００３５】
タイマー設定の２４時間後、すなわちタイマーを設定した時刻と同じ時刻になると前回の運転と同一の運転を開始する。このときの運転態様（ファンの強弱、イオンモード等）は前回の運転時と同じである。
【００３６】
また、空気清浄機の運転開始とともに前回の運転で設定された切タイマー時間（ここでは８時間）が自動的に設定され、８時間経過した後に運転が停止される。
【００３７】
これが２４時間周期で繰り返される。つまり、運転開始から８時間後に停止し、さらに１６時間後（次の日の運転開始時刻と同時刻）に運転開始する。この毎日モード運転は毎日モードの解除を行わない限り、２４時間周期で繰り返し運転される。
【００３８】
空気清浄機の運転時間を４時間、１時間に設定したときも同様に表示される。
【００３９】
前記毎日モード運転中に、停止ボタンを押して空気清浄機を停止させたとしても、毎日モードの設定は有効で、切タイマーを設定した時間になると運転を開始し、８時間後に停止する。
【００４０】
毎日モード設定中であっても手動により空気清浄機の運転は可能である。手動によって空気清浄機の運転中に毎日タイマーを設定した時刻となったときは、運転態様はそのままで、タイマーのみ毎日モードで運転（つまりその時刻から８時間後に運転停止）する。
【００４１】
毎日モードがセットされた状態で切タイマーボタン８３を押して切タイマーを設定すると、その時刻が記憶部に記憶されそれ以降は、その時刻が切タイマー設定時刻となる。これは、空気清浄機の運転中はもちろんのこと、停止中でも有効である。また、電源を投入してから１度も毎日タイマーモードを使用していない場合は、切タイマー設定は有効にはならない。
【００４２】
毎日モードを設定していないときの切タイマーボタン８３は通常の切タイマー動作と同じ、つまり、空気清浄機を所定時間運転した後運転停止するタイマーとして動作する。
【００４３】
毎日モードが設定されていないときの切タイマーの表示は、毎日モード表示がＯＦＦで８時間表示部９３１、４時間表示部９３２、１時間表示部９３３が残り運転時間に合わせてＯＮ表示される。
【００４４】
前述の３つのタイマー時間（ここでは、１時間、４時間、８時間）は、任意の時間に設定できるようになっていてもよい。また、本実施例では予め設定されている時間は３パターンであるがこれに限られるものではなく、さらに多くても、また、少なくてもよい。この場合、毎日タイマーと通常の切タイマーの設定時間は同時に変更される。
【００４５】
残り時間表示は、デジタル時計表示してもよい。そのとき、運転中は残り運転時間、毎日モード中の停止中は次回運転までの時間、毎日モード未設定のときは現時刻を表示するものを例示できる。
【００４６】
本実施例は、２４時間周期で動作／停止を繰り返す空気清浄機を例に説明したがそれに限定されるものではなく、さらに長い周期で動作するものや、短い周期で動作するものも採用できる。
【００４７】
一定時間内に空気清浄機の運転／停止を複数回繰り返してもよい。その場合、記憶部に設定時間を記録し、その後その記録した時間をもとに運転／停止の切り替えを行うものも例示できる。
【００４８】
上記実施例では空気清浄機を例にとって本発明を説明したが、それに限定されるものではなく、空気調和機、加湿器、除湿機、ファンヒータ等の空気を調整するものを広く採用することができる。
【００４９】
【発明の効果】
本発明によると、特別な操作、装置を用いなくても、一定時間の運転／停止を繰り返し行うことができる空気調整装置を提供することができる。
【００５０】
また本発明によると、簡単な操作で一定時間の運転／停止を繰り返し行うｉことができる空気調整装置を提供することができる。
【図面の簡単な説明】
【図１】本発明に係る空気調整装置の一例である空気清浄機のブロック図である。
【図２】図１に示す空気清浄機の操作部及び表示部の概略図である。
【図３】図１に示す空気清浄機の動作を示すフロー図である。
【図４】図１に示す空気清浄機の動作状態を表示部に表示するときのチャート図である。
【符号の説明】
１  空気浄化装置
２  モータ
３  ファン
４  制御装置
５  制御部
６  記憶部
７  タイマー計時部
８  操作部
８１  運転スイッチ
８２  毎日モードボタン
８３  切タイマーボタン
８４  停止スイッチ
９  表示部
９１  タイマー表示部
９２  運転表示部
９３  設定時間表示部
９３１  ８時間表示部
９３２  ４時間表示部
９３３  １時間表示部
９４  モード表示部
【図１】
2004163022.tif 000003
【図２】
2004163022.tif 000004
【図３】
2004163022.tif 000005
【図４】
2004163022.tif 000006